(57)【要約】      （修正有）【課題】ディスプレイの設置状態を横長から縦長へ回転させる際に回転前後のディスプレイの最上端の高さ変動を少なくすることが出来るとともに、ディスプレイの向き変更時の衝撃をディスプレイに与えないようにする方法を提供する。【解決手段】ディスプレイを懸架するディスプレイ用スタンドであって、ディスプレイを着脱せずに横長に支持された横長状態と縦長に支持された縦長状態とを変更可能であり、複数の支柱と取付け機構とを有するスタンドユニットと；ディスプレイの背面に装着される装着ブラケットと；を備え、装着ブラケットの第１の固定部材２１は直線状レール部ＳＲに係合してディスプレイ回転時に直線状に移動可能であり、第２、第３の固定部材２２，２３は屈曲状レール部ＢＲに係合しディスプレイ回転時に屈曲状レール部に沿って移動可能である。【選択図】図１１
2020134927.tif 000002
【特許請求の範囲】
【請求項１】
ディスプレイを懸架するディスプレイ用スタンドであって、
前記ディスプレイを着脱せずに横長に支持された横長状態と縦長に支持された縦長状態とを変更可能な構成であり、
複数の支柱と、取付け機構とを有するスタンドユニットと、
前記ディスプレイの背面に装着される装着ブラケットと、を有しており、
前記装着ブラケットは、前記ディスプレイの背面から起立する３つの固定部材を備え、
前記取付け機構は、前記複数の支柱間を連結する横板の少なくとも一部である取付け板を備え、
前記取付け板には、直線状の溝孔を有する直線状レール部及び略直角に曲がった溝孔を有する屈曲状レール部が形成され、
前記装着ブラケットの前記３つの固定部材のうち、第１の固定部材は前記直線状レール部に係合して前記ディスプレイ回転時に直線状に移動可能であり、第２の固定部材及び第３の固定部材は前記屈曲状レール部に係合して前記ディスプレイ回転時に前記屈曲状レール部の直線部分に沿って移動可能であることを特徴とする
ディスプレイ用スタンド。
【請求項２】
前記取付け板には、前記直線状レール部を構成する溝孔が形成されており、
前記溝孔の周囲の表面側及び裏面側には、前記溝孔と同様の溝孔が形成された２枚のスライド抵抗板が、前記取付け板を挟むように固定されており、
前記第１の固定部材と、前記スライド抵抗板との接触部分は、所定の摺動抵抗を有することを特徴とする
請求項１に記載のディスプレイ用スタンド。
【請求項３】
前記第１の固定部材において、起立方向の根元側は円板であって、先端側は前記円板よりも径が小さい円柱状突起であり、
前記第１の固定部材の円柱状突起の先端部の外周にはネジ領域が形成されており、
前記第１の固定部材の前記円柱状突起を、前記２枚のスライド抵抗板に挟まれた前記取付け板で構成される前記直線状レール部の溝孔に挿入した状態で、前記円柱状突起の前記ネジ領域を、スペーサーとバネワッシャを介してナットによって締結することで、摺動抵抗が調整可能であることを特徴とする
請求項２に記載のディスプレイ用スタンド。
【請求項４】
前記第１の固定部材の前記円板及び前記円柱状突起と、前記スペーサーは、鉄、ステンレス、アルミニウム又はチタン、あるいはこれらの合金で構成され、
前記２枚のスライド抵抗板は、リン青銅で構成されていることを特徴とする
請求項３に記載のディスプレイ用スタンド。
【請求項５】
前記３つの固定部材の位置をA、B、Cと設定し、
辺ABに対して垂直でAB＝BDとなる位置をDとすると、
前記第１の固定部材の位置であるCの位置は、上記A、B、Dからなる直角二等辺三角形ABDにおいて、辺ADの中点の位置であることを特徴とする
請求項１乃至４のいずれか一項に記載のディスプレイ用スタンド。
【請求項６】
前記屈曲状レール部の上端、屈曲点、及び側端は、前記ディスプレイが前記横長状態のときの、前記３つの固定部材の位置で形成する前記直角二等辺三角形ABDの頂点と略等しい位置にあり、
前記屈曲状レール部の一辺は垂直に近い方向に延伸し、他辺は前記一辺と直角な方向に延伸し、
前記直線状レール部は、前記ディスプレイが前記横長状態のときの、前記直角二等辺三角形ABDの垂線BCに沿って、傾斜して延伸しており、
回転により前記ディスプレイを前記横長状態から前記縦長状態に変更するときに、前記第１の固定部材は前記直線状レール部に沿って下から上に上昇した後、下に戻るように往復移動し、前記第２の固定部材が前記屈曲状レール部の一辺に沿って、前記上端から前記屈曲点の位置に降下するように移動し、前記第３の固定部材が前記屈曲状レール部の他辺に沿って前記屈曲点から前記側端の位置に移動することを特徴とする
請求項５に記載のディスプレイ用スタンド。
【請求項７】
前記取付け機構は、前記ディスプレイ回転時に、前記屈曲状レール部に沿って移動する前記第２の固定部材又は前記第３の固定部材に、張力が付与する付勢部材を、備えていることを特徴とする
請求項２乃至６のいずれか一項に記載のディスプレイ用スタンド。
【請求項８】
前記３つの固定部材の位置をA、B、Cと設定し、
辺ABに対して垂直で辺AB＝辺BDとなる位置をDとすると、
前記屈曲状レール部の上端、屈曲点、及び側端は、前記ディスプレイが前記横長状態のときの、前記３つの固定部材の位置で形成する直角二等辺三角形ABDの頂点と略等しい位置にあり、
前記第３の固定部材において、起立方向の根元側は円板であって、先端側は前記円板よりも径が小さい円柱状突起であって、
前記付勢部材の一端は、前記ディスプレイが前記横長状態のときの、前記直角二等辺三角形ABDの垂線上であって、前記直線状レール部の上方にある突起と連結し、
前記付勢部材の他端は、前記第３の固定部材の前記円柱状突起と連結していることを特徴とする
請求項７に記載ディスプレイ用スタンド。
【請求項９】
ディスプレイと、
請求項１乃至８のいずれか一項に記載のディスプレイ用スタンドと、を備え、
前記ディスプレイは、背面に取りつけられた前記装着ブラケットとともにディスプレイユニットを構成し、
前記取付け機構と前記装着ブラケットによって、前記ディスプレイを前記横長状態と前記縦長状態とを回転自在であることを特徴とする
ディスプレイスタンドシステム。
【発明の詳細な説明】
【技術分野】
【０００１】
本発明は、ディスプレイ用スタンド、及び該ディスプレイ用スタンドとディスプレイとを備えるディスプレイスタンドシステムに関する。
【背景技術】
【０００２】
表示装置や電子黒板、又はアナログのカンバス等のディスプレイを懸架する汎用のスタンドにおいて、ディスプレイを着脱して高さ調整や、ディスプレイの設置状態（画面向き）を横長と縦長に変更することは一般的であるが、ディスプレイを着脱せずにディスプレイの高さ調整可能であって、ディスプレイを縦長と横長とで回転可能な構成も知られている。
【０００３】
例えば、特許文献１では、カンバスが横長に支持された状態から縦長に支持された状態に回転させる構成として、カンバスの中心を軸にして回転するスタンドが開示されている。この構成では、カンバスの中心を軸にして回転するので、カンバスの最上部が回転前の横長の状態よりも回転後の縦長の状態の方が高くなる。
【発明の概要】
【発明が解決しようとする課題】
【０００４】
しかし、特許文献１では、カンバスを縦長の状態にした際、「カンバス＋スタンド」の全長が高くなりすぎる場合があり、スタンドが倒れやすくなってしまう。そのため、スタンドを倒れないように設計するには、スタンドベースを大きくする必要があった。また、横長の状態で書きやすい高さに設定していると、縦長の状態にした場合に、高すぎて書きにくくなってしまう。
【０００５】
また、上記特許文献１の構成のスタンドでは、回転動作とは別に、カンバスの高さも昇降可能であって、回転後にカンバスの高さを低くすることで、スタンドを倒れにくくすることもできるが、使用者がカンバスの高さを低くすることを忘れてしまう可能性がある。
【０００６】
また、特許文献１では、絵画であるカンバスを保持することを目的としているが、仮にこの構成で、インタラクティブ・ホワイトボード、インタラクティブフラットパネルディスプレイ、タッチパネル等の電子パネル、モニター、テレビ等の電子回路を有するディスプレイを支持しようすると、ディスプレイ自体の重みにより、ディスプレイの回転や昇降の際にディスプレイに衝撃が加わってしまう。
【０００７】
そこで、本発明は上記事情に鑑み、高さ調整動作なしで、ディスプレイの設置状態を横長から縦長へ回転させる際に、回転前後のディスプレイの最上端の高さ変動を少なくすることが出来るとともに、ディスプレイの向き変更時の衝撃をディスプレイに与えないようにする、ディスプレイ用スタンドの提供を目的とする。
【課題を解決するための手段】
【０００８】
上記課題を解決するため、本発明の一態様では、
ディスプレイを懸架するディスプレイ用スタンドであって、
前記ディスプレイを着脱せずに横長に支持された横長状態と縦長に支持された縦長状態とを変更可能な構成であり、
複数の支柱と、取付け機構とを有するスタンドユニットと、
前記ディスプレイの背面に装着される装着ブラケットと、を有しており、
前記装着ブラケットは、前記ディスプレイの背面から起立する３つの固定部材を備え、
前記取付け機構は、前記複数の支柱間を連結する横板の少なくとも一部である取付け板を備え、
前記取付け板には、直線状の溝孔を有する直線状レール部及び略直角に曲がった溝孔を有する屈曲状レール部が形成され、
前記装着ブラケットの前記３つの固定部材のうち、第１の固定部材は前記直線状レール部に係合して前記ディスプレイ回転時に直線状に移動可能であり、第２の固定部材及び第３の固定部材は前記屈曲状レール部に係合して前記ディスプレイ回転時に前記屈曲状レール部の直線部分に沿って移動可能であることを特徴とする
ディスプレイ用スタンド、を提供する。
【発明の効果】
【０００９】
一態様によれば、ディスプレイ用スタンドにおいて、高さ調整動作なしで、ディスプレイの設置状態を横長から縦長へ回転させる際に、回転前後のディスプレイの最上端の高さ変動を少なくすることが出来るとともに、ディスプレイの向き変更時の衝撃をディスプレイに与えないようにする。
【図面の簡単な説明】
【００１０】
【図１】本発明の実施形態の一例のディスプレイスタンドシステムを示す図。
【図２】比較例のディスプレイスタンドシステムを示す図。
【図３】本発明と比較例のディスプレイスタンドシステムの全体斜視図。
【図４】本発明のディスプレイスタンドシステムの分解図を示す図。
【図５】ディスプレイユニットの背面図と、その部分拡大図。
【図６】スタンドシステムの背面を説明する図。
【図７】装着ブラケットのスタッドと、ジョイント板の直線状溝孔との勘合状態を説明する分解斜視図。
【図８】装着ブラケットのスタッドと、ジョイント板の直線状レール部との勘合状態を説明する背面図及び断面図。
【図９】装着ブラケットの２箇所のスタッドと、ジョイント板の屈曲状レール部との勘合状態を説明する図。
【図１０】ディスプレイに装着ブラケットを介して設けられた３箇所のスタッドの位置関係を示す図。
【図１１】回転時の３つのスタッドとレール部の位置を説明する図。
【図１２】スタンドシステムから、背面カバーを取り外した、付勢部材を説明する背面斜視図。
【図１３】回転時の３つのスタッドとレールと付勢部材の位置を説明する図。
【発明を実施するための形態】
【００１１】
以下、図面を参照して本発明を実施するための形態について説明する。なお、本明細書及び図面において、実質的に同一の機能構成を有する構成要素については、同一の符号を付し、重複する説明を省略する。
【００１２】
本発明は、ディスプレイ用スタンド、該ディスプレイ用スタンドを備えるディスプレイスタンドシステムに関するものであって、本発明のディスプレイ用スタンドが懸架可能なディスプレイとして例えば、下記のものが想定しうる。
【００１３】
ディスプレイは、例えば、ホワイトボード、黒板、カンバス等のアナログの板であってもよく、あるいは、インタラクティブ・ホワイトボード、インタラクティブフラットパネルディスプレイ、タッチパネル等の電子パネルである入力可能な表示装置、あるいは、モニター、テレビ等の受動的な表示装置であってもよい。
【００１４】
＜全体図＞
図１は、本発明の実施形態の一例のディスプレイスタンドシステム２００を示す図である。図１では、ディスプレイ１を懸架したディスプレイ用スタンド１００全体の、ディスプレイ１を回転させた（ピボットさせた）際の動きを示している。詳しくは、本発明に係るディスプレイスタンドシステム２００において、図１（ａ）はディスプレイ１が横長状態の正面図であり、図１（ｂ）はディスプレイ１が横長状態から縦長状態へ移行中の正面図であり、図１（ｃ）はディスプレイ１が縦長状態の正面図であり、図１（ｄ）はディスプレイ１が縦長状態の側面図である。
【００１５】
通常、会議、授業や打ち合わせ等で利用されるインタラクティブ・ホワイトボード、所謂電子黒板装置等で使用されるモニターやディスプレイ等の表示装置や入力画面であるディスプレイ１は、専用のスタンドによって懸架・保持されている。
【００１６】
上記ディスプレイ用スタンドに対する要望事項は、小さく、軽く、そして移動しやすいことである。移動しやすさの因子としてベース部（スタンドベースともいう）３６の大きさ・重さが大きく寄与している。
【００１７】
さらに、インタラクティブ・ホワイトボードや電子黒板等のディスプレイ１は、ディスプレイ１に対して筆記も行うので、ディスプレイ用スタンド１００に対して、ある決められた荷重に対してディスプレイ１が動かないという安定性も求められる。
【００１８】
ここで、ディスプレイ用スタンド１００では、ディスプレイ１の重さ、及び最も高い状態でのディスプレイ１の最上端の高さに応じて、ベース部３６の重さ及び大きさが決定される。
【００１９】
詳しくは、ディスプレイ１に対して筆記等を行うことを想定して荷重がかかるとすると最悪条件はこの最上端の高さＨに荷重がかかる条件である。ここで、最上端の高さＨとは、ディスプレイスタンドシステム２００が設置されている地面からの高さが最も高い位置、即ち、本構成では、ディスプレイ１の最上端の高さである。
【００２０】
このときのディスプレイにかかる荷重をＦ、ディスプレイ１とディスプレイ用スタンド１００を含めた全体のディスプレイスタンドシステム２００の重量をＭｇ、そして、ベース部３６の奥行方向におけるディスプレイスタンドシステム２００の重心位置Ｇから背面側の奥行長さをＤｂとすると、ディスプレイ１が安定するための、条件は以下式を満足する必要がある。
Ｆ・Ｈ＜Ｍｇ・Ｄｂ  …（式１）
【００２１】
なお「ディスプレイが安定する」とは、前面側の最上端の部分に、筆記の際にかかる力のように奥行方向に荷重Ｆが掛かった場合に、ディスプレイ用スタンド１００が後方に倒れないことを指す。
【００２２】
従って、ディスプレイ１の最上端の高さＨが高ければ高いほど、ベース部３６の奥行方向における重心位置から背面側の奥行長さＤｂも長くなる必要がある。
【００２３】
そこで、本発明の実施形態のディスプレイスタンドシステム２００では、ディスプレイが横長に支持された状態である横長状態から縦長に支持された状態である縦長状態に回転された場合、回転後のディスプレイの中心Ｃ'の高さ（図１（ｃ）参照）が、自動的に、回転前のディスプレイの中心Ｃの高さ（図１（ａ）参照）以下となる。即ち、ディスプレイ１の中心の高さは、図１（ａ）に示す横長状態よりも、図１（ｃ）に示す縦長状態の方が低くなるように支持している。
【００２４】
なお、中心Ｃ，Ｃ'の高さとは、ディスプレイ１の対角線が交わる点を指す。詳しくは、ディスプレイの中心Ｃ，Ｃ'の高さとは、ディスプレイの中心Ｃの高さ方向の位置、ディスプレイスタンドシステムが設置された設置面を基準とした高さ方向の位置である。
【００２５】
さらに、縦長状態での中心の高さＣ'が、横長状態での中心の高さＣに対して、（長辺ＬＳ）−（短辺ＳＳ）/２の分（Ｃｄｏｗｎ）、下がることで、上端の高さを変化させないようにすることができる。
【００２６】
Ｃｄｏｗｎ＝｛（長辺ＬＳ）−（短辺ＳＳ）｝/２  …（式２）
この（式２）を満たすことで、図１に示すように本発明の実施形態に係るディスプレイ用スタンド１００では、ディスプレイ１の設置状態が横長でも縦長でもそのディスプレイの最上端の高さＨが同じ位置（高さ）であるように、ディスプレイ１を懸架する。
【００２７】
そこで、本発明のディスプレイ用スタンド１００において、最上端の高さが変わらないことによる利点を、比較例と比較することで説明する。
【００２８】
＜比較例＞
図２は、比較例のディスプレイスタンドシステム８００を示す図である。図２に示す比較例に係る既存のスタンドでは、ディスプレイ１の中心Ｃを回転中心として回動することで、ディスプレイ１の設置状態を変更する構成である。詳しくは、比較例に係るディスプレイスタンドシステム８００において、図２（ａ）はディスプレイ１が横長状態の正面図であり、図２（ｂ）はディスプレイ１が横長状態から縦長状態へ移行中の正面図であり、図２（ｃ）はディスプレイ１が縦長状態の正面図であり、図２（ｄ）はディスプレイ１が縦長状態の側面図である。
【００２９】
図２に示すディスプレイスタンドシステム８００だと、ディスプレイ１の設置状態が横長か縦長かでディスプレイ１の最上端の高さが変わり、縦長のときの高さＨ'の方が、横長のときの高さＨよりも、最上端の高さが高くなる（Ｈ'＞Ｈ）。
【００３０】
ここで、比較例に係る、ディスプレイ用スタンド９００のベース部９３６の大きさ・重さを決定する際にも、この縦長のディスプレイ１の状態で最上端の部分に対する荷重条件に耐えることが出来ることが必要になる。そのため、以下（式３）を満足する必要がある。
Ｆ・Ｈ'＜Ｍｇ・Ｄｂ'…（式３）
【００３１】
ここで、本発明の構成と、比較例の構成とを比較すると、図２に示すディスプレイ１が縦長状態の場合の最上端の高さＨ'は、図１に示す本発明のディスプレイ１が縦長状態の場合の最上端の高さＨよりも、高くなる（Ｈ'＞Ｈ）。したがって、この高低関係を（式１）及び（式３）に当てはめると、比較例に係るベース部９３６の奥行方向におけるディスプレイスタンドシステム２００の重心位置から背面側の奥行長さＤｂ'は、本発明のベース部３６の奥行方向におけるディスプレイスタンドシステム２００の重心位置から背面側の奥行長さＤｂよりも長くなる（Ｄｂ'＞Ｄｂ）。
【００３２】
そのため、図２に示す比較例に係るスタンド構造だと、縦長の状態に備えて、ディスプレイ用スタンド９００のベース部９３６のサイズ及び重量を、大きく・重く設計しなければならない。
【００３３】
なお、ディスプレイ用スタンドの、実際の設計時にはこの条件はディスプレイ１の正面からだけではなく、横方向及び背面からの荷重にも耐え得る、ベース部３６の大きさ・重さにしておく必要がある。
【００３４】
図３は、本発明と比較例のディスプレイスタンドシステムの全体斜視図である。図３において、（ａ）は比較例のディスプレイスタンドシステム８００を示し、（ｂ）は本発明方式のディスプレイスタンドシステム２００を示す。図３（ａ）及び図３（ｂ）では、いずれにおいても、ディスプレイ１は縦長にセットされた状態を示している。
【００３５】
上述のように、比較例のディスプレイ用スタンド９００における縦長状態のディスプレイ１の最上端の高さ（Ｈ'）よりも、本発明方式のディスプレイ用スタンド１００における縦長状態のディスプレイ１の最上端の高さ（Ｈ）の方が低くなる（Ｈ'＞Ｈ）。
【００３６】
そのため、図３に示すように、
比較例のベース部９３６の幅Ｗ'よりも、本発明のベース部３６の幅Ｗは短くなり（Ｗ'＞Ｗ）、比較例のベース部９３６の奥行Ｄ'よりも、本発明のベース部３６の奥行Ｄは短くなる（Ｄ'＞Ｄ）。
【００３７】
従って図３（ｂ）に示す本発明方式のディスプレイ用スタンド１００のベース部３６の方が、図３（ａ）に示す比較例のディスプレイ用スタンド９００のベース部９３６よりも、サイズ及び重量を、小さく・軽くすることが出来る。
【００３８】
＜本発明のスタンドの構成＞
図４は、本発明のディスプレイスタンドシステム２００の分解図を示す図である。本発明のディスプレイスタンドシステム２００は、ディスプレイユニット６及びスタンドユニット７の、２つのモジュールからなる。
【００３９】
また、ディスプレイ１を懸架するためのディスプレイ用スタンド１００は、装着ブラケット２と、スタンドユニット７からなる。
【００４０】
ここで、ディスプレイスタンドシステム２００の組立てについて説明する。
まず最初に、（１）で装着ブラケット２を、ディスプレイ１の背面１１を補強する補強背面１２に取り付ける。ディスプレイ１に装着ブラケット２を取りつけた状態を、ディスプレイユニット６とする。
【００４１】
その後、（２）でディスプレイ１及び装着ブラケット２からなる機構であるディスプレイユニット６を、取付け機構４に取り付ける。取付け機構４は、複数の支柱３１Ａ，３１Ｂ間を連結する横板であるジョイント板４１を備えている。
【００４２】
そして、（３）で、取付け機構４の嵌合部をカバーするように、ジョイント板４１の背面に、背面カバー５を装着する。支持体機構３と、取付け機構４と、背面カバー５と、を合わせてスタンドユニット７とする。
【００４３】
この（１）、（２）、（３）の取り付けは、一番最初のセッティングのときだけ行う。
【００４４】
一旦組み付けると、ディスプレイ用スタンド１００に対してディスプレイ１は回転も昇降もできるため、スタンドユニット７に対してディスプレイ１の状態（横長/縦長の設置状態、高さ）を変えるときに、ディスプレイ１を着脱する必要がない。
【００４５】
さらに、スタンドユニット７の支持体機構３には、支柱３１Ａ，３１Ｂを支持するベース部３６の下にキャスター３７がついており、組立てた状態で、ディスプレイスタンドシステム２００を移動させる（運ぶ）ことができる。なお、ディスプレイ１の左右方向の角度を調整したい場合は、ディスプレイスタンドシステム２００全体の方向を、キャスター３７によって調整する。
【００４６】
また、ディスプレイ１を縦長に配置された状態にすることで、ディスプレイ１の幅は支持体機構３の支柱３１Ａ，３２Ｂの間隔とほぼ同じ幅になる。そのため、展示会等のために、複数の同じ型のディスプレイスタンドシステム２００を、荷積みして運ぶ場合も、スペースを取らずに積み込むことができる。
【００４７】
そのため、ディスプレイスタンドシステム２００の移動、ディスプレイ１の回転、昇降が組み立てたままで可能となるため、最初に組み付けた後は、例えば、ディスプレイを壁掛けにする場合など設置方法を変更する場合を除き、ディスプレイ１と、ディスプレイ用スタンド１００をバラバラにすることは想定されていない。
【００４８】
ただし、以下の説明では、動作や嵌合の説明のために、各ユニット内を分解して図示することもありうる。
【００４９】
図５は、ディスプレイユニット６の背面側を示す図である。詳しくは、図５において、（ａ）はディスプレイユニット６の背面斜視図であり、（ｂ）は装着ブラケット２の一部の部分拡大図である。
【００５０】
図５にディスプレイユニット６の、装着ブラケット（ディスプレイブラケット、可動ジョイント部ともいう）２には、ディスプレイ１の補強背面１２に対して垂直に起立する３つのスタッド２１，２２，２３が設けられている。
【００５１】
夫々のスタッド２１，２２，２３は、固定部材であり、起立方向の先端側は円柱状突起２１１，２２１，２３１が設けられている。ここで、スタッド２１では、円柱状突起２１１の根元側は、平らな円盤状のスタッドワッシャ２１３が設けられている。一方、スタッド２２，２３では、円柱状突起２２１，２３１の根元に、円柱状突起２２１，２３１よりも径が大きい、筒状の摺動筒２３２，２３２が嵌め込まれており、摺動筒２１２，２２２のさらに根元に平らな円盤状のスタッドワッシャ２２３，２３３が設けられている。
【００５２】
また、装着ブラケット２の基板プレート２０の背面には、背面方向に、円形に盛り上がった円形凸部２４と、上端及び下端が丸みを帯びて帯状に盛り上がった帯状凸部２５が形成されている。スタッド２１は、円形凸部２４の最も背面側の平らな面にスタッドワッシャ２１３が密着するように装着されており、スタッド２２，２３は、帯状凸部２５の最も背面側の平らな面に、スタッドワッシャ２２３，２３３が密着するように装着されている。
【００５３】
なお、第１の固定部材であるスタッド２１の円柱状突起２１１の先端の外周には、ネジ状の溝又は突起が形成されているネジ領域２１１Ｓが設けられている。
【００５４】
また、第３の固定部材であるスタッド２３の円柱状突起２３１は、付勢部材４９（図６（ｃ）参照）と連結するため、第２の固定部材であるスタッド２２の円柱状突起２２１よりも長く構成されている。
【００５５】
図６は、ディスプレイスタンドシステム２００の背面を説明する図である。図６において、（ａ）はディスプレイスタンドシステム２００全体の背面図であり、（ｂ）は背面カバー５を取り外した部分背面図であり、（ｃ）は取付け機構４の背面図であり、（ｄ）はジョイント板４１における嵌合部周辺の拡大図である。
【００５６】
図６（ａ）、図６（ｂ）に示すようにスタンドユニット７は、支柱３１Ａ，３１Ｂ、ベース部３６及びキャスター３７を含む支持体機構３と、ジョイント板４１等を含む取付け機構４と、背面カバー５とを備えている。背面カバー５は、支柱３１Ａ，３１Ｂ及びジョイント板４１に対して、着脱可能であり、ディスプレイユニット６と、スタンドユニット７を組み立てる場合は、図６（ｂ）に示すように背面カバー５を外しておき、組み立て後に取り付ける。
【００５７】
図６（ｃ）に示すようにジョイント板（取付け板）４１の背面側には、付勢部材（ガススプリング）４９が取り付けられている。また、ジョイント板４１には、換気孔４１６が形成されている。
【００５８】
なお、本例では、ジョイント板４１は、支柱３１Ａ，３１Ｂを連結する横板である例を示しているが、ジョイント板は、支柱３１Ａ，３１Ｂを連結する梁（横棒）の少なくとも一部に取り付けられている構成（即ち、支柱間の横板の一部である構成）であってもよい。
【００５９】
さらに、図６（ｄ）に示すように、ジョイント板４１には、直線状溝孔４１１と、直線状の直角に曲がったＬ字状溝孔４１２とが形成されている。ここで、Ｌ字状溝孔４１２における「略直角に曲がった」とは、９０°に対して±３°程度の誤差を許容するものとする。
【００６０】
直線状溝孔４１１と、Ｌ字状溝孔４１２とは離間して配置されている。また、溝孔４１１，４１２の端部は、丸みを帯びている。
【００６１】
また、直線状溝孔４１１の周囲には、長円状（オーバル、小判状、陸上トラックのような形状ともいう）の凹み部４１３が形成されている。直線状溝孔４１１に対する補強部材は、別体で取りつけられ、直線状溝孔４１１と、後述する補強部材であるスライド抵抗板４２Ａ，４２Ｂ（図７参照）とを含めて直線状レール部ＳＲとする。
【００６２】
一方、Ｌ字状溝孔（屈曲状溝孔ともいう）４１２の周囲には、Ｌ字補強板４１４が予め取りつけられている。Ｌ字補強板４１４は、摺動性が良好な素材で構成されていればよく、例えば、樹脂や金属で形成されている。ここで、Ｌ字補強板４１４は、Ｌ字補強板４１４における貫通孔の縁部に沿って立ち上がるようにバーリング加工されたフランジ４１４Ｆが設けられている。屈曲状レール部ＢＲは、Ｌ字状溝孔４１２と、Ｌ字状溝孔４１２を取り囲んで背面側に起立するフランジ４１４Ｆとで構成されている。
【００６３】
そのため、取付け機構４において、Ｌ字補強板４１４の貫通孔の縁部であるフランジ４１４Ｆは背面側に突出しているため、ジョイント板４１におけるＬ字状溝孔４１２の貫通厚さと、Ｌ字補強板４１４の厚みと、フランジ４１４Ｆの高さとを合わせた部分が、屈曲状レール部ＢＲにおいて、摺動筒２２２，２３２がスライドするスライド面（ガイドレール）となる。
【００６４】
なお、本例では、Ｌ字補強板４１４の貫通孔を取り囲むフランジ４１４Ｆは、背面側のみ起立している図を示したが、Ｌ字状溝孔４１２をさらに補強する構造として、フランジ４１４Ｆは、ジョイント板４１に形成されたＬ字状溝孔４１２の貫通厚さをすべて覆うように、管状にＬ字状溝孔４１２の内周面を取り囲んで、溝孔４１２の表面側にも補強部が伸び出している、ハトメ構造（アイレット構造、グロメット構造ともいう）であってもよい。
【００６５】
また、直線状溝孔４１１を取り囲む凹み部４１３の斜め上方には、支持突起４１５が形成されている。図６（ｃ）に示すように、支持突起４１５には、付勢部材４９の一端が連結される。
【００６６】
図５に示すスタッド２１は、直線状溝孔４１１に沿って摺動可能であり、スタッド２２，２３は、Ｌ字状溝孔４１２の直線部分にそれぞれ沿って摺動可能である。
【００６７】
３つのスタッド２１，２２，２３と、溝孔４１１，４１２を夫々含むレール部ＳＲ，ＢＲとの連結について、下記図７〜９を用いて説明する。
【００６８】
＜直線状レール部とスタッドの連結＞
図７は、装着ブラケット２のスタッド２１と、ジョイント板４１の直線状溝孔４１１との勘合状態を説明する分解斜視図である。
【００６９】
図８は、装着ブラケット２のスタッド２１と、ジョイント板４１の直線状レール部ＳＲとの勘合状態を説明する背面図及び断面図である。図８において（ａ）は背面カバー５を取り外したディスプレイスタンドシステム２００の一部の背面図であり、（ｂ）は直線状レール部ＳＲ及びスタッド２１の拡大図であり（ｃ）は（ｂ）のＡＡ断面図であり、（ｄ）は（ｃ）の拡大図である。
【００７０】
図７に示すように、スタンドユニット７のジョイント板４１には、斜めに延伸する長円形状に貫通孔である直線状溝孔４１１が形成されている。ジョイント板４１及びスタッド２１，２２，２３、及びスペーサー４５ａ，４５ｂ，４５ｃは板金製である。板金は、例えば、鉄、ステンレス、アルミニウム、又はチタン、あるいはこれらの合金で構成されている。
【００７１】
この直線状溝孔４１１の表裏を、同じく長円形状に溝孔が設けられた薄い２枚のスライド抵抗板４２Ａ，４２Ｂによって、ジョイント板４１を挟み込むように、ねじ４３と枠部４４によって締結されている。
【００７２】
そして、図７及び図８（ｂ）を参照して、直線状溝孔４１１が形成されたジョイント板４１と、２枚のスライド抵抗板４２Ａ，４２Ｂが一体となって締結されて直線状レール部ＳＲを構成している。
【００７３】
２枚のスライド抵抗板４２Ａ，４２Ｂは、例えば、リン青銅板によって構成されている。この構成によって直線状レール部ＳＲの表裏の表面は滑らかで安定した摩擦係数を得ることができる。なお、本例では、スライド抵抗板４２Ａ，４２Ｂの素材の一例として、リン青銅を例としているが、表面性が良好で、磨耗に強い材質であれば、他の摺動素材として、例えば、トルクヒンジ等の一般的な摺動部品に使用可能な青銅や、鉛、ニッケル、ビスマス、硫黄、スズ、亜鉛等を含む青銅系の合金等であってもよい。
【００７４】
前提として、正面側（表面側）は、スライド抵抗板４２Ａを、スライド抵抗板４２Ａの溝孔よりも大きい孔部を有する枠部４４によって、ジョイント板４１に抑えつけながら、枠部４４とスライド抵抗板４２Ａとが一緒に、ジョイント板４１にネジ止めにより締結しておく。一方、背面側（裏面側）は、スライド抵抗板４２Ｂを、長円状の凹み部４１３に嵌め込み、ネジ４３によって、ジョイント板４１と締結しておく（図７、図）。
【００７５】
そして、このように、スライド抵抗板４２Ａ，４２Ｂが装着された直線状レール部ＳＲに、ディスプレイ１に装着ブラケット２を介して設けられたスタッド２１が嵌まりこむ。
【００７６】
この際、スタッド２１の円柱状突起２１１の先端はネジ領域２１１Ｓが形成されており、スタッド２１の円柱状突起２１１が直線状レール部ＳＲの直線状溝孔４１１に挿入した状態で、図７〜図８（ｄ）に示すように、円柱状突起２１１のネジ領域２１１Ｓが、スペーサー４５ｃとバネワッシャ４６を介して、ナット４７で一定の摺動抵抗になるように調整されて、締め付けられる。
【００７７】
上記構成によって、スタッド２１が直線状レール部ＳＲを往復移動する際に、その途中状態でも動かされる力が摺動抵抗以下の力ならその状態を保持して止まることができる。
【００７８】
＜屈曲状レール部と２つのスタッドの連結＞
図９は、装着ブラケット２の２箇所のスタッド２２，２３と、ジョイント板４１の屈曲状レール部ＢＲとの勘合状態を説明する図である。図９において、（ａ）は、屈曲状レール部ＢＲのＬ字状溝孔４１２に２箇所のスタッド２２，２３が挿入した状態を示す図、（ｂ）はスタッド（第２の固定部材）２２の先端部に、スペーサー４５ａが装着された状態、（ｃ）は、スタッド２２の先端部に、Ｅリング４８ａが装着された状態を示す図である。また、図９（ｄ）はスタッド（第３の固定部材）２３の先端部に、スペーサー４５ｂが装着された状態、（ｅ）は、スタッド２３の先端部に、Ｅリング４８ｂが装着された状態を示す図である。
【００７９】
図９（ａ）に示すように、ジョイント板４１上に設けられた屈曲状レール部ＳＬのＬ字状溝孔４１２に、ディスプレイ１に装着ブラケット２を介して取りつけられた２箇所のスタッド２２，２３を挿入する。この際、スタッド２２，２３の根元のスタッドワッシャ２２３，２３３は、ジョイント板４１の表側のＬ字状溝孔４１２の周囲と接触し、且つ摺動筒２２２，２３２の側面が、屈曲状レール部ＢＲにおけるＬ字状溝孔４１２の内側面及びフランジ４１４Ｆの内側面と接触する。この状態において、スタッド２２，２３の先端側の円柱状突起２２１，２３１は、フランジ４１４Ｆよりもさらに背面側に伸び出している。
【００８０】
そして、図９（ｂ）、図９（ｄ）に示すようにスタッド２２，２３それぞれの先端側の円柱状突起２２１，２３１にスペーサー４５ａ，４５ｂが挿入される。この際、スペーサー４５ａ，４５ｂは、フランジ４１４Ｆと接触する。そして、図９（ｃ）、図９（ｅ）に示すように、Ｅリング４８ａ，４８ｂで締結される。
【００８１】
このように締結される構成によって、ジョイント板４１上に設けられた屈曲状レール部BRに対して、抵抗なく、スムーズに摺動移動可能な状態で、スタッド２２と２３が勘合状態になる。
【００８２】
一方、図９（ａ）に示すように、ジョイント板４１上に設けられた直線レール部ＳＲの直線状溝孔４１１に、ディスプレイ１に装着ブラケット２を介して取りつけられた１箇所のスタッド２１を挿入する。この際、スタッド２１の根元のスタッドワッシャ２１３は、正面側のスライド抵抗板４２Ａの溝孔の周囲と接触し、且つ、先端側の円柱状突起２１１の側面が、直線状レール部ＳＲにおける直線状溝孔４１１の内側面及びスライド抵抗板４２Ａ，４２Ｂに形成された溝孔の内側面と接触する。この状態において、スタッド２１の先端側の円柱状突起２１１は、スライド抵抗板４２Ｂよりもさらに背面側に伸び出している。
【００８３】
そして、スタッド２１の先端側の円柱状突起２１１にスペーサー４５ｃが挿入される。この際、スペーサー４５ｃは、背面側のスライド抵抗板４２Ｂの溝孔の周囲と接触する。そして、図７で示したように、スペーサー４５ｃは、バネワッシャ４６を介して、ナット４７で一定の摺動抵抗になるように調整されて締め付けられる。
【００８４】
＜３つのスタッドの位置関係＞
図１０にディスプレイ１に装着ブラケット２を介して設けられた３箇所のスタッド２１，２２，２３の位置関係を示す。詳しくは、図１０（ａ）は、ディスプレイユニット６の背面図を示し、図１０（ｂ）は、装着ブラケット２の部分拡大図であって、３箇所のスタッド２１，２２，２３の位置関係を示す説明図である。
【００８５】
図１０（ｂ）を参照して、ディスプレイ１が横長状態（横向き）における、ディスプレイユニット６のスタッド２２の位置をA、スタッド２３の位置をB、スタッド２１の位置をCとする。そして、辺ABに垂直でAB＝BDとなる位置をDとする。A、B、Dによって形作られる直角二等辺三角形ABDにおいてスタッド２１の位置Cは辺ADのほぼ中点の位置に位置する。
【００８６】
図１１は、ディスプレイ１回転時の３つのスタッドとレール部の位置を説明する図である。図１１において、（ａ），（ｂ）は、ディスプレイ１が横長状態を示す図、（ｃ），（ｄ）は回転途中の状態を示す図、（ｅ），（ｆ）は縦長状態を示す図である。
【００８７】
図１１（ｂ）は図１１（ａ）の取付け機構４の嵌合部の拡大図に相当し、図１１（ｄ）は図１１（ｃ）の取付け機構４の嵌合部の拡大図に相当し、図１１（ｆ）は図１１（ｅ）の取付け機構４の嵌合部の拡大図に相当する。なお、図１１において、付勢部材４９は取り外している。
【００８８】
なお、図１１においては、スタッド２１，２２，２３の中心位置をより明確に示すため、スペーサー４５ａ，４５ｂ，４５ｃよりも背面側の締結部材（４６，４７，４８ａ，４８ｂ）は省略して示している。
【００８９】
スタンドユニット７に設けられたジョイント板４１には、フランジ４１４Ｆによって補強されたＬ字状溝孔４１２を有する屈曲状レール部ＢＲと、直線状溝孔４１１がスライド抵抗板４２Ａ，４２Ｂで挟まれて構成される直線状レール部ＳＲの２箇所のレール形状が設けられている。
【００９０】
屈曲状レール部ＢＲの一辺ＶＳは垂直に近い方向に延伸し、他辺ＨＳは一辺ＨＳと直角な方向であって水平に近い角度に角度の延伸している。屈曲状レール部ＢＲにおける一辺ＶＳの上端をα、一辺ＶＳと他辺ＨＳの交点となる屈曲点をβ、他辺ＨＳの側端をγとする。
【００９１】
ここで、図１１（ｂ）に示すように、屈曲状レール部ＢＲは、ディスプレイ１が横長状態の際の、スタッド２１，２２，２３の位置A、B、Dを結んだ直角に交わる二直線状のレール形状である。即ち、屈曲状レール部ＢＲの上端α、屈曲点β、及び側端γは、ディスプレイ１が横長状態におけるスタッド２２，２３，２１の位置に相当する直角二等辺三角形ABDの頂点と略等しい位置にある。
【００９２】
そのため、ディスプレイ１が横長状態のときのスタッド２２，２３の位置A-Bから、縦長状態のときのスタッド２２，２３の位置A"−B"となったときも、「AB＝BD」のため、横長状態の場合は上端αと屈曲点βの位置にスタッド２２，２３が位置することになり、縦長状態の場合は屈曲点βと側端γの位置にスタッド２２，２３が位置することになるため、その状態からは動きにくくなる。
【００９３】
ここで、図１１（ａ）⇒（ｃ）⇒（ｅ）に示すように、ディスプレイ１を横向き（横長状態）から縦向き（縦長状態）に回動させると、スタッド２１の位置は、直線状レール部ＳＲに沿って直線上を、上がって下がるという往復運動する軌跡をたどる。そして、スタッド２２が屈曲状レール部ＢＲの一辺ＶＳに沿って、上端αから屈曲点βの位置に降下するように移動し、スタッド２３が屈曲状レール部ＢＲの他辺ＨＳに沿って屈曲点βから側端γの位置に移動する。
【００９４】
反対に、図１１（ｅ）⇒（ｃ）⇒（ａ）に示すように、ディスプレイ１を縦向きから横向きに回動させるときも、スタッド２１の位置は直線状レール部ＳＲに沿って直線上を、上がって下がる往復運動する軌跡をたどる。そして、スタッド２２が屈曲状レール部ＢＲの一辺ＶＳに沿って、屈曲点βから上端αの位置に上昇するように移動し、スタッド２３が屈曲状レール部ＢＲの他辺ＨＳに沿って側端γから屈曲点βの位置に移動する。
【００９５】
スタンドユニット７に設けられたジョイント板４１に、この軌跡に対応したレールとして直線状レール部ＳＲを設けている。その構成として、直線状レール部ＳＲは、横向きの際の、スタッド２２，２３，２１の位置に相当する直角三角形ABCの垂線Pであって、位置B，Cを結んだ線に一致するように延伸している。
【００９６】
さらに、ディスプレイ１の向きを変える回動時に、直線状レール部ＳＲ上を、往復移動するスタッド２１のために、直線状溝孔４１１の表裏側に、リン青銅板製のスライド抵抗板４２Ａ，４２Ｂを設けることで、摺動抵抗を生じる。そのため、ディスプレイ１の向きを変更時その途中の位置で止めた状態を維持することが可能になる。
【００９７】
このような構成により、本発明では、ディスプレイの着脱無し、さらには、係合部の着脱等の回転以外の他の動作も不要で、手動でディスプレイの横向きと縦向きの変更が可能となる。さらにスライド抵抗板の摺動抵抗により、変更途中の任意の状態で止めることが可能で、大きな力も必要なく可動できる。
【００９８】
また、スタッド（第２の固定部材）２２は、ディスプレイ１の重心に近い位置に配置されている。図１１に示すように、スタッド２２は、ディスプレイ１を横長状態から縦長状態に回転する際に、屈曲状レール部ＢＲにおいて、上端αから屈曲点βの分、即ち、Ａ⇒Ｂの位置にほぼ垂直に下降するように移動する。そのため、ディスプレイ１の重心も、Ａ⇒Ｂの距離の分、下降することになる。
【００９９】
この重心移動により、ディスプレイ１を横長状態から縦長状態に変更する際に、その最上端位置がほぼ変わらず回転させることができる。よって、ディスプレイ１の横向きも縦向きもほぼ同じ最上端位置なので、共通する最上端位置にかかる荷重に耐えることができるように、ベース部３６の大きさと重量が決まり、縦向きに備えて、スタンドベースを必要以上に大きく重くする必要が無くなる。
【０１００】
＜付勢部材＞
図１２は、ディスプレイスタンドシステム２００から、背面カバー５を取り外した、付勢部材４９を説明する背面斜視図である。図１２（ａ）はディスプレイスタンドシステム２００のディスプレイ１の背面部分を示す部分図、図１２（ｂ）は取付け機構４の背面の拡大図である。
【０１０１】
図１２に示すように、ディスプレイ１が横長状態のときに、装着ブラケット２に設けられたスタッド２１及び直線状レール部ＳＲを覆うように、付勢部材４９としてガススプリングによって付勢力が付加される。
【０１０２】
詳しくは、図１２（ｂ）に示すように、付勢部材４９の一端は、ジョイント板４１の直線状溝孔４１１の上方に設けられる支持突起４１５に連結され、付勢部材４９の他端は、第３の固定部材であるスタッド２３の円柱状突起２３１と連結されている。これにより、付勢部材４９は、ディスプレイ１が横長状態のときに、直角二等辺三角形ABDの垂線Ｐ上にくるように配置される（図１３（ｂ）参照）。
【０１０３】
図１３は、回転時の３つのスタッドとレールと付勢部材の位置を説明する図である。図１３において、（ａ），（ｂ）はディスプレイ１が横長状態を示す図、（ｃ），（ｄ）は回転途中の状態を示す図、（ｅ），（ｆ）は縦長状態を示す図である。
【０１０４】
図１３（ｂ）は図１３（ａ）の取付け機構４の嵌合部の拡大図に相当し、図１３（ｄ）は図１３（ｃ）の取付け機構４の嵌合部の拡大図に相当し、図１３（ｆ）は図１３（ｅ）の取付け機構４の嵌合部の拡大図に相当する。
【０１０５】
この構成では、図１３（ｂ）に示すようにディスプレイ１が横長状態では、付勢力は横向きの回転方向にモーメントｆｈがかかり、逆に図１３（ｆ）に示すようにディスプレイ１が縦長状態では、縦向きの回転方向にモーメントｆｖがかかる。また、図１３（ｄ）に示すように、回転途中は、縦向きの回転方向にモーメントｆｖがかかる。
【０１０６】
そして、スタッド２１がスライドするスライド抵抗板４２Ａ，４２Ｂの摺動抵抗がこの付勢力によるモーメントとディスプレイ１の重力によるモーメントの合力より強い抵抗に設定されている。仮にこの付勢部材４９が無いと長時間ディスプレイ１を横向きで使用していると、ディスプレイ１の重力によるモーメントは縦向きの回転方向にかかるため、その位置が経時的に変動する不具合が発生する可能性がある。
【０１０７】
そこで、この付勢部材４９を設けることによって、図１３（ｂ）に示すように横向きの場合には横向きのモーメントｆｈがかかり、逆に図１３（ｆ）に示すように、縦向きの場合には縦向きのモーメントｆｖがかかる働きによって、長時間でも安定してその位置を維持する効果が生まれる。
【０１０８】
このように、ユーザはディスプレイ１を外さずに、手動で大きな力も必要なくディスプレイ１の向きを変更することができるので、狭い通路や多少の段差があってもディスプレイ１を懸架したスタンドを容易に移動することが出来、また自分がディスプレイ１に筆記している時や他の人々に見せて説明する時など様々なシチュエーションに応じて最適なディスプレイの向きに変更することができる。
【０１０９】
また、付勢部材４９の付勢力とスライド抵抗板４２Ａ，４２Ｂの摩擦抵抗により、本発明のディスプレイ用スタンドでは、ディスプレイ１の向きを変更時その途中の位置で止めた状態を維持することが可能になるとともに、ディスプレイ１の向き変更時の衝撃をディスプレイに与えないようにすることができる。
【０１１０】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０１１１】
１  ディスプレイ
２  装着ブラケット（ディスプレイブラケット）
３  支持体機構
４  取付け機構
５  背面カバー
６  ディスプレイユニット
７  スタンドユニット
１１  背面
２１  スタッド（固定部材、第１の固定部材）
２２  スタッド（固定部材、第２の固定部材）
２３  スタッド（固定部材、第３の固定部材）
２１１，２２１，２３１  円柱状突起
２２２，２３２  摺動筒
２１３，２２３，２３３  スタッドワッシャ
２１１Ｓ  ネジ領域
３１Ａ，３１Ｂ  支柱
３６  ベース部（スタンドベース）
３７  キャスター
４１  ジョイント板（取付け板）
４２Ａ，４２Ｂ  スライド抵抗板
４１１  直線状溝孔（溝孔）
４１２  Ｌ字状溝孔（溝孔）
４１４Ｆ  フランジ
Ｃ  ディスプレイの中心
Ｇ  ディスプレイスタンドシステムの重心
ＳＲ  直線状レール部
ＢＲ  屈曲状レール部
１００  ディスプレイ用スタンド
２００  ディスプレイスタンドシステム
Ｃ  横長状態のディスプレイの中心
Ｃ'  縦長状態のディスプレイの中心
Ｄ  ベース部の奥行長さ
Ｄｂ  ベース部の奥行方向における重心位置から背面側の奥行長さ
Ｇ  ディスプレイスタンドシステムの重心
Ｍｇ  ディスプレイスタンドシステムの重量
ＬＳ  ディスプレイの長辺
ＳＳ  ディスプレイの短辺
ABD  直角二等辺三角形
A  横長状態におけるスタッド２２の位置
B  横長状態におけるスタッド２３の位置
C  横長状態におけるスタッド２１の位置
P（BC）  垂線
【先行技術文献】
【特許文献】
【０１１２】
【特許文献１】特表平６−５０７５５７号公報
【図１】
2020134927.tif 000003
【図２】
2020134927.tif 000004
【図３】
2020134927.tif 000005
【図４】
2020134927.tif 000006
【図５】
2020134927.tif 000007
【図６】
2020134927.tif 000008
【図７】
2020134927.tif 000009
【図８】
2020134927.tif 000010
【図９】
2020134927.tif 000011
【図１０】
2020134927.tif 000012
【図１１】
2020134927.tif 000013
【図１２】
2020134927.tif 000014
【図１３】
2020134927.tif 000015